(57)【要約】【課題】区切罫を自動的に配置するようにし、オペレータの負担を軽減すること。【解決手段】本発明は、記事、画像、写真及びこの写真の説明文を含む素材のうちの少なくとも何れかを新聞紙面上に配置して新聞紙面を制作する新聞紙面制作システムにおいて、写真及びこの写真の説明文が新聞紙面上に配置された場合には、写真と説明文との新聞紙面上における位置関係に基づいて、新聞紙面上に配置された説明文をそれに隣接配置された素材と区切る区切罫を新聞紙面上に配置するか否かを判定する区切罫判定部５２を備えている。また、区切罫判定部５２によって区切罫を配置すると判定された場合には、区切罫を新聞紙面上に配置する区切罫配置部５３を備えている。【選択図】      図１
2006031095.tif 000002
【特許請求の範囲】
【請求項１】
記事、画像、写真及びこの写真の説明文を含む素材のうちの少なくとも何れかを新聞紙面上に配置して新聞紙面を制作する新聞紙面制作システムにおいて、
前記写真及びこの写真の説明文が前記新聞紙面上に配置された場合には、前記写真と前記説明文との前記新聞紙面上における位置関係に基づいて、前記新聞紙面上に配置された説明文をそれに隣接配置された素材と区切る区切罫を前記新聞紙面上に配置するか否かを判定する判定手段と、
前記判定手段によって区切罫を配置すると判定された場合には、前記区切罫を前記新聞紙面上に配置する区切罫配置手段と
を備えた新聞紙面制作システム。
【請求項２】
請求項１に記載の新聞紙面制作システムにおいて、
前記区切罫の罫種と罫幅を含む書式情報を保持する書式情報保持手段を更に備え、
前記区切罫配置手段が前記区切罫を配置する場合には、前記書式情報保持手段に保持された書式情報に従って前記区切罫を配置するようにした新聞紙面制作システム。
【請求項３】
請求項２に記載の新聞紙面制作システムにおいて、
前記区切罫によって隣接配置された素材と区切られている説明文と、この説明文に対応する写真との位置関係が変更された場合には、前記判定手段は、前記変更された位置関係に基づいて、前記位置関係が変更された説明文に対する区切罫の配置場所を変更するか否か判定し、前記区切罫配置手段は、前記判定手段によって前記区切罫の配置場所を変更すると判定された場合には、前記書式情報保持手段に保持された書式情報に基づいて前記区切罫の配置場所を変更するようにした新聞紙面制作システム。
【請求項４】
請求項１乃至３のうち何れか１項に記載の新聞紙面制作システムにおいて、
前記区切罫によって隣接配置された素材と区切られている説明文に対応する写真の配置が取り消された場合には、前記写真、この写真の説明文、この説明文とそれに隣接配置された素材とを区切る区切罫を前記新聞紙面から消去する消去手段を更に備えた新聞紙面制作システム。
【発明の詳細な説明】
【技術分野】
【０００１】
本発明は、新聞紙面上に割り付けられた各レイアウト領域に、記事、画像、写真、及び写真の説明文を含む素材を配置することによって新聞紙面を制作するシステムに係り、特に、写真の説明文を、それに隣接配置された素材と区切る区切罫を配置するのに好適なシステムに関する。
【背景技術】
【０００２】
従来、新聞紙面の制作は、図３４に示すようなシステム構成の新聞紙面制作システムを用いてなされている。このような新聞紙面制作システムは、通常は新聞社に設置され、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００３】
記事入力／校正端末１は、記事や、写真の説明文の入力および校正を行うための端末であり、オペレータによって記事データや説明文データが入力されると、入力された記事データや説明文データは、この記事入力／校正端末１によって記事サーバ２に出力される。また、この記事入力／校正端末１によって、記事サーバ２に蓄積されている記事データや説明文データが取得される。この取得された記事データや説明文データは、記事入力／校正端末１を介してなされるオペレータ操作によって校正がなされ、更に校正された記事データや説明文データは、記事入力／校正端末１から記事サーバ２に再び出力される。
【０００４】
記事サーバ２では、このようにして記事入力／校正端末１から入力された記事データや説明文データの他に、図示しない通信回線を経由して通信社などから入力された記事データや説明文データも送信される。この送信された記事データや説明文データもまた記事サーバ２に蓄積される。更に、記事入力／校正端末１からの校正要求に基づいて、蓄積している記事データや説明文データの中から、要求のあった記事データや説明文データが、記事サーバ２から記事入力／校正端末１へと出力される。更に、記事サーバ２に蓄積されている記事データや説明文データは、オペレータ指示に基づいて組版編集サーバ６に出力され、組版編集サーバ６でなされる組版編集に供される。
【０００５】
スキャナやディスプレイ等が備えられている画像入力／加工端末３では、画像データや写真データの入力、およびこれらデータの加工が行われる。入力された画像データや写真データは、画像入力／加工端末３から画像サーバ４へと出力される。また、オペレータから入力された画像データや写真データの加工操作入力に基づいて画像データや写真データの加工が行われ、加工されたデータは、この画像入力／加工端末３から画像サーバ４へと出力される。
【０００６】
画像入力／加工端末３から出力されたデータは、画像サーバ４に蓄積される。また、画像サーバ４に蓄積されている画像データや写真データは、画像入力／加工端末３から要求があると、画像入力／加工端末３に出力される。また、オペレータから指示があった場合には、組版編集サーバ６に出力され、ここで行われる組版編集に供される。
【０００７】
組版端末５は、オペレータが、記事、画像、写真、写真の説明文、および見出しのレイアウト編集を行うための操作入力を行う端末であり、各オペレータに対して１台ずつ備えられている。図３４では、代表的に１台の組版端末５のみを示している。各オペレータは、自分が担当する組版端末５を操作することによってレイアウト編集作業を行っている。
【０００８】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【０００９】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１０】
さて、このような編集作業によって配置される写真とその説明文との位置関係は、一般的に、図３５に示すような２ケースに分類されている。図３５（ａ）は、新聞紙面１０上において写真１２とその説明文（以下、「写真説明文」と称する）１４とが一体的に配置されている第１のケース（以下、「写真／写真説明文一体型」と称する）である。この場合、写真説明文１４と、本文１６とは分離しているので、写真説明文１４と本文１６とを区切る区切罫を配置しなくても、読者は、写真説明文１４と本文１６とを互いに認識することができる。
【００１１】
一方、図３５（ｂ）は、新聞紙面１０上において、写真説明文１４と本文１６とが配置上混じってしまう第２のケース（以下、「写真説明文張出型」と称する）である。このような場合、図３５（ｂ）に示すように、読者が、写真説明文１４と本文１６とを混同することなく認識できるように、オペレータは、組版端末５を操作することによって、写真説明文１４と本文１６との境界を示す区切罫１８を配置する必要がある。
【００１２】
新聞紙面１０が完成するまでは、記事、画像、写真、および写真説明文の変更や差替が頻繁に行われるのが常である。このような場合には、その都度、写真説明文１４と本文１６の区切罫１８の配置を取り消し、しかる後に、新たな配置条件に応じて区切罫１８の再度配置操作をしなければならない。
【００１３】
また、新聞紙面１０における全体レイアウトの都合で、写真１２と写真説明文１４の位置パターンを変更した場合も、変更後の配置条件に応じて、区切罫１８の配置位置の変更操作をしなければならない。
【００１４】
このような位置パターンの変更としては、例えば、図３５（ａ）に示すような写真／写真説明文一体型から、図３５（ｂ）に示すような写真説明文張出型へ変更した場合がある。この場合は、写真説明文１４と本文１６とを区切る区切罫１８を、該当する位置に新たに配置しなければならない。また、逆に、図３５（ｂ）に示すような写真説明文張出型から、図３５（ａ）に示すような写真／写真説明文一体型へ変更した場合もある。この場合は、既に配置した区切罫１８を除去する必要がある。また、写真説明文張出型であるものの、写真説明文１４の張り出し位置を変更した場合もある。この場合は、変更前の区切罫１８を削除し、変更後の写真説明文１４と本文１６との間に、区切罫１８を新たに配置しなければならない。
【特許文献１】特開平５−２８６１０７号公報
【発明の開示】
【発明が解決しようとする課題】
【００１５】
しかしながら、このような従来の新聞紙面制作システムでは、以下のような問題がある。
【００１６】
すなわち、区切罫１８の再配置は、上述したように記事、画像、写真、および写真説明文の変更や差替、あるいはレイアウト全体の変更がある毎に、それにあわせて必要となる。
【００１７】
区切罫１８の配置操作自体は、機械的で単純ではあるが、頻繁に発生することから煩雑に感じるものである。しかも、新聞紙面の配置作業が完成した時点で区切罫１８を引き忘れたことに気がついた場合には、紙面レイアウトルール上不自然になり、手直しを要するために、オペレータは、引き忘れがないように、細心の注意を払って区切罫１８の配置操作を行わねばならない。
【００１８】
このように、区切罫１８の配置操作は、オペレータにとって極めて負担の大きい作業となっているという問題がある。
【００１９】
本発明はこのような事情に鑑みてなされたものであり、区切罫を自動的に配置するようにし、もって、オペレータの負担の軽減を図ることが可能な新聞紙面制作システムを提供することを目的とする。
【００２０】
なお、本願発明に近いと思われる先行文献としては、上記特許文献１がある。特許文献１では、新聞紙面上における素材のレイアウト調整を自動的に行う技術が開示されている。しかしながら、本願発明で対象としている区切罫の自動配置についての記載はなされていない。
【課題を解決するための手段】
【００２１】
上記の目的を達成するために、本発明では、以下のような手段を講じる。
【００２２】
請求項１の発明は、記事、画像、写真及びこの写真の説明文を含む素材のうちの少なくとも何れかを新聞紙面上に配置して新聞紙面を制作する新聞紙面制作システムにおいて、判定手段と、区切罫配置手段とを備えている。
【００２３】
判定手段は、写真及びこの写真の説明文が新聞紙面上に配置された場合には、写真と説明文との新聞紙面上における位置関係に基づいて、新聞紙面上に配置された説明文をそれに隣接配置された素材と区切る区切罫を新聞紙面上に配置するか否かを判定する。区切罫配置手段は、判定手段によって区切罫を配置すると判定された場合には、区切罫を新聞紙面上に配置する。
【００２４】
従って、請求項１の発明の新聞紙面制作システムにおいては、以上のような手段を講じることにより、写真と写真説明文とを配置する場合、写真と写真説明文との位置関係に基づいて、写真説明文と、それに隣接配置された本文記事等の素材との区切罫を自動的に配置することができる。その結果、オペレータによる区切罫の配置操作を不要とし、オペレータの負担を低減することが可能となる。
【００２５】
請求項２の発明は、請求項１の発明の新聞紙面制作システムにおいて、区切罫の罫種と罫幅を含む書式情報を保持する書式情報保持手段を更に備えている。そして、区切罫配置手段が区切罫を配置する場合には、書式情報保持手段に保持された書式情報に従って区切罫を配置する。
【００２６】
従って、請求項２の発明の新聞紙面制作システムにおいては、以上のような手段を講じることにより、区切罫の罫種や罫幅といった書式を自在に設定することが可能となる。
【００２７】
請求項３の発明は、請求項２の発明の新聞紙面制作システムにおいて、区切罫によって隣接配置された素材と区切られている説明文と、この説明文に対応する写真との位置関係が変更された場合には、判定手段は、変更された位置関係に基づいて、位置関係が変更された説明文に対する区切罫の配置場所を変更するか否か判定する。そして、区切罫配置手段は、判定手段によって区切罫の配置場所を変更すると判定された場合には、書式情報保持手段に保持された書式情報に基づいて区切罫の配置場所を変更する。
【００２８】
従って、請求項３の発明の新聞紙面制作システムにおいては、以上のような手段を講じることにより、素材の差替や、レイアウト変更等により、説明文と写真との位置関係が変更された場合であっても、変更後の位置関係に基づいて、写真説明文と、それに隣接配置された本文記事等の素材との区切罫の配置場所を、それにあわせて変更することができる。その結果、オペレータによる区切罫の配置操作を不要とし、オペレータの負担を低減することが可能となる。
【００２９】
請求項４の発明は、請求項１乃至３のうち何れか１項の発明の新聞紙面制作システムにおいて、区切罫によって隣接配置された素材と区切られている説明文に対応する写真の配置が取り消された場合には、写真、この写真の説明文、この説明文とそれに隣接配置された素材とを区切る区切罫を新聞紙面から消去する消去手段を更に備えている。
【００３０】
従って、請求項４の発明の新聞紙面制作システムにおいては、以上のような手段を講じることにより、写真の配置が取り消された場合には、関係する写真、写真説明文、および区切罫を共に新聞紙面から消去することができるので、オペレータの負担を軽減することが可能となる。
【発明の効果】
【００３１】
本発明の新聞紙面制作システムによれば、区切罫を自動的に配置することができ、もって、オペレータの負担の軽減を図ることが可能となる。
【発明を実施するための最良の形態】
【００３２】
以下に、本発明を実施するための最良の形態について図面を参照しながら説明する。
【００３３】
なお、以下の形態の説明に用いる図中の符号は、図３４乃至図３５と同一部分については同一符号を付して示すことにする。
【００３４】
本発明の実施の形態に係る新聞紙面制作システムは、記事、画像、写真及びこの写真の説明文を含む素材を新聞紙面上に配置して新聞紙面を制作する新聞紙面制作システムであって、図３４に示す従来技術の新聞紙面制作システムの組版端末５や組版編集サーバ６上などに実装可能であるが、ここでは一例として、組版端末５に実装した構成について説明する。
【００３５】
図１は、本発明の実施の形態に係る新聞紙面制作システムの組版端末５の詳細構成例を示す機能ブロック図である。
【００３６】
すなわち、本発明の実施の形態に係る新聞紙面制作システムは、組版端末５に、オペレータ入力部５０と、紙面データ保持部５１と、区切罫判定部５２と、区切罫配置部５３と、書式情報保持部５４と、区切罫消去部５５とを備えている。
【００３７】
オペレータ入力部５０は、この処理に必要な情報の入力をオペレータから受け付け、入力された情報を区切罫判定部５２に出力する。
【００３８】
紙面データ保持部５１は、紙面データ格納部７に格納されている紙面データ７１（＃１〜＃ｎ）の中から、処理する紙面データ７１を組版編集サーバ６を介して取得する。区切罫判定部５２、区切罫配置部５３、書式情報保持部５４、及び区切罫消去部５５は、紙面データ保持部５１に保持された紙面データ７１を対象に区切罫の配置、配置場所の変更、消去等の処理を行う。そして、保持している紙面データ７１に対するこれら処理が完了すると、紙面データ保持部５１は、この紙面データ７１を、組版編集サーバ６に出力する。このようにして組版編集サーバ６に出力された紙面データ７１は、組版編集サーバ６における編集処理に供されたり、組版編集サーバ６から更に紙面データ格納部７に送られ、ここで保持される。
【００３９】
紙面データ７１の構成例を以下に説明する。すなわち、紙面データ７１は、図２に示すような管理情報と、図３から図１１に示すような各素材データと、図１２に示すような実データテーブルとからなっている。
【００４０】
管理情報は、図２に示すように、掲載年月日７１ＫＮ、面名７１ＭＮ、版名７１ＨＮ、印刷ページ番号７１ＰＧ、体裁情報（組方向、段数、字詰、文字サイズ、段間、行間など）７１ＴＳ、紙面Ｘ方向寸法７１ＰＸ、紙面Ｙ方向寸法７１ＰＹの各データからなっている。
【００４１】
素材データは、紙面への配置が検討されている全ての素材毎に存在するものである。したがって、例えば、本文ａ、写真ｂ、写真説明文ｃ、本文ｄ、写真ｅ、写真説明文ｆ、区切罫ｇ、区切罫ｈ、区切罫ｉの各素材データの配置が検討されている紙面の場合においては、図３から図１１に示すように、これら各素材毎に素材データが存在する。これはあくまで紙面に９つの素材を配置する場合の例であって、これ以上の素材が配置される場合も、またこれ以下の素材の配置で済む場合もある。何れの場合においても、配置される素材毎にこのような素材データが存在する。
【００４２】
このような素材データのデータ構成は、本文の場合、＃１素材データ（本文ａ）を対象とした図３に示すように、素材種別７１ＳＢ、素材属性７１ＰＲ、素材ＩＤ番号７１ＩＤ、配置情報７１ＦＬ、配置位置座標７１ＬＭ、配置領域寸法７１ＳＺ、仮見出７１ＫＭ、テキスト格納アドレス情報７１ＡＤ、レイアウト済テキスト格納アドレス情報７１ＢＤを持つ。図６も本文に関する素材データであるので同様なデータ構成をしている。
【００４３】
一方、写真の場合、＃２素材データ（写真ｂ）を対象とした図４に示すように、図３に示すような本文の素材データのテキスト格納アドレス情報７１ＡＤおよびレイアウト済テキスト格納アドレス情報７１ＢＤに代えて、画像の付属情報７１ＦＺ、表示画格納アドレス情報７１ＡＤ、実画像格納アドレス情報７１ＢＤを持っている。なお、画像の付属情報７１ＦＺは、画像の寸法７１ＦＺ１、カラー／モノクロ７１ＦＺ２、トリミング情報７１ＦＺ３、および画像形式７１ＦＺ４を含んでいる。図７も写真に関する素材データであるので同様なデータ構成をしている。
【００４４】
また、写真説明文の場合、＃３素材データ（写真説明文ｃ）を対象とした図５に示すように、図３に示すような本文の素材データに加えて、写真説明文の付属情報７１ＦＺを持っている。なお、この付属情報７１ＦＺは、写真の素材ＩＤ番号７１ＦＺ１、パターン分類７１ＦＺ２、写真説明文が接する写真の辺７１ＦＺ３、写真説明文の写真に対する揃え７１ＦＺ４、および写真説明文と本文との区切罫７１ＦＺ５を含んでいる。図８も写真説明文に関する素材データであるので同様なデータ構成をしている。
【００４５】
また、区切罫の場合、＃７素材データ（区切罫ｇ）を対象とした図９に示すように、図５に示すような写真説明文ｃの素材データの仮見出し７１ＫＭを無くし、更に付属情報７１ＦＺの構成を変更している。すなわち、区切罫の場合は、付属情報７１ＦＺとして罫種７１ＦＺ１、罫幅７１ＦＺ２、縦・横区分７１ＦＺ３を備えている。図１０および図１１も区切罫に関する素材データであるので同様なデータ構成をしている。
【００４６】
実データは、図１２に示すように、＃ｎ素材データ毎の本文のテキスト７１ＴＸ（＃ｎ）、レイアウト済テキスト７１ＬＸ（＃ｎ）、写真の表示画データ７１ＨＩ（１＃ｎ）、画像の実画像データ７１ＲＩ（１＃ｎ）、写真説明文のテキスト７１ＴＸ（＃ｎ）、写真説明文のレイアウト済テキスト７１ＬＸ（＃３）からなっている。
【００４７】
区切罫判定部５２は、オペレータ入力部５０を介してなされたオペレータからの入力にしたがい、紙面データ保持部５１に保持された紙面データ７１に基づいて、写真説明文１４が新聞紙面１０上に配置されている場合には、この写真１２と写真説明文１４との新聞紙面１０上における位置関係を把握する。そして、この把握した位置関係に基づいて、この写真説明文１４に対する区切罫１８を新聞紙面１０上に配置するか否かを判定する。このような処理を、紙面データ保持部５１が紙面データ７１を保持する毎に行うことによって、区切罫１８が配置されていない紙面データ７１についてはもちろん、既に区切罫１８が配置されており、その後レイアウトの変更や素材の差し替え等により、区切罫１８の配置位置の変更が必要になった紙面データ７１に対しても適切な位置に変更できるようにしている。
【００４８】
書式情報保持部５４は、図１３に示すようなデータ構成をした書式情報テーブル５４０を備えている。書式情報テーブル５４０は、区切罫の罫種５４ＫＳ、罫幅５４ＫＨ、天／左方向空き値５４ＴＡ、地／右方向空き値５４ＢＡの区切罫の書式を決定するパラメータを保持している。なお、罫種５４ＫＳは、図１４に示すような「リーダ」、図１５に示すような「カスミ」、図１６に示すような「双柱」がある（何れも縦組レイアウトの場合）。また、罫幅５４ＫＨにおける「四分」とは、１行の１／４幅のことであり、他に１行の１／３幅である「三分」や、１行の１／２幅である「半角」又は「二分」、１行の幅である「全角」がある。
【００４９】
区切罫配置部５３は、区切罫判定部５２によって区切罫を引くと判定された場合には、区切罫を新聞紙面上に配置し、それを紙面データ７１に反映することによって紙面データ保持部５１に保持されている紙面データ７１の内容を更新する。なお、この場合、書式情報保持部５４から書式情報テーブル５４０を取得し、書式情報テーブル５４０で定義されている書式情報に従って区切罫を配置する。
【００５０】
区切罫消去部５５は、紙面データ保持部５１に保持された紙面データ７１に基づいて、既に配置されている区切罫１８に対応する写真説明文１４に対応する写真１２の配置が取り消された場合には、この写真１２、写真説明文１４、及び区切罫１８を新聞紙面１０から消去し、それを紙面データ７１に反映する。
【００５１】
このような構成の本発明の実施の形態に係る新聞紙面制作システムは、縦組のレイアウト、及び横組のレイアウトの何れについても適用可能であるが、本明細書では、縦組レイアウトを例に説明している。また、説明を簡潔にするためにレイアウト中に発生する重なりやはみだしなどの各種エラーのチェックに関しては記述を省略する。
【００５２】
次に、以上のように構成した本発明の実施の形態に係る新聞制作システムの区切罫配置処理における動作について説明する。
【００５３】
まず、写真説明文１４に対して新たに区切罫１８を配置する場合の動作について図１７乃至図１８に示すフローチャートを用いて説明する。
【００５４】
まず、写真説明文１４に対して新たに区切罫１８を配置する場合には、紙面データ格納部７から、対象の紙面データ７１が、組版編集サーバ６を介して組版端末５の紙面データ保持部５１に取得される。また、書式情報保持部５４には、図１３に示すようなデータ構成の書式情報テーブル５４０が保持されている。
【００５５】
そして、オペレータが、オペレータ入力部５０を操作することにより、処理対象とする写真１２、写真説明文１４、およびこれらの位置パターンの指定入力を行う（Ｓ１）。区切罫１８を配置する必要がある場合は、図３５（ｂ）に示したような張出型の場合である。したがって、ステップＳ１で入力された位置パターンの指定入力が張出型である場合と、そうでない一体型とで以下の処理は分かれる（Ｓ２）。
【００５６】
位置パターンが張出型である場合（Ｓ２：Ｙｅｓ）には、紙面データ保持部５１に保持されている紙面データ７１が区切罫判定部５２に読み出され、区切罫判定部５２によって、ステップＳ１で指定された写真１２の素材データの配置情報７１ＦＬが「配置済」とされる（Ｓ３）。
【００５７】
次に、オペレータは、オペレータ入力部５０から、この写真１２の配置位置および配置領域を入力する（Ｓ４）。すると、区切罫判定部５２において、配置位置から配置位置座標７１ＬＭが、配置領域から配置領域寸法７１ＳＺがそれぞれ計算され、それぞれ紙面データ７１におけるこの写真１２の素材データに書き込まれる（Ｓ５）。以上により、写真１２の素材データが確定され、写真１２の新聞紙面１０上への配置がなされるようになる。
【００５８】
次に、オペレータにより、オペレータ入力部５０から張出型のタイプの指定入力がなされ（Ｓ６）、これに基づいて、写真説明文１４の新聞紙面１０上への配置処理がなされる。張出型のタイプは図１９に示すように、Ｈ１からＨ８までの８タイプに分類される。図２０は、これら各タイプにおける写真１２と写真説明文１４との位置関係を示す模式図である。
【００５９】
例えば、タイプＨ１は、（ａ）写真説明文１４（＃Ｈ１）が接する写真１２の辺は上辺、（ｂ）写真説明文１４（＃Ｈ１）の写真１２の辺に対する揃えは左揃え、（ｃ）写真説明文１４（＃Ｈ１）の段方向寸法は１段分、（ｄ）写真説明文１４（＃Ｈ１）の組方向は縦組、（ｅ）写真説明文１４（＃Ｈ１）と本文との区切罫１８の位置は、写真説明文１４（＃Ｈ１）の右側となる。なお、（ｃ）写真説明文の段方向寸法は、１段分に限るものではない。また、（ｄ）写真説明文の組方向は、縦組に限るものではなく、横組にすることも可能である。
【００６０】
このように張出型のタイプが指定されると、区切罫判定部５２によって、この写真説明文１４の段方向寸法（ｃ）に基づいて、写真説明文１４のテキスト７１ＴＸがレイアウトされ、レイアウト済テキスト７１ＬＸが作成される（Ｓ７）。更に、段方向寸法（ｃ）と、レイアウト済テキスト７１ＬＸとから、配置領域寸法７１ＳＺが計算される（Ｓ８）。
【００６１】
次に、区切罫判定部５２によって、ステップＳ６で指定されたタイプに対応する、図２１に示す写真説明文１４の配置位置座標の計算式（ｆ）から、この写真説明文１４の配置位置座標７１ＬＭが計算される（Ｓ９）。配置位置座標７１ＬＭは、図２１の（ｆ）に示すように、Ｘ座標（ｘｔ）とＹ座標（ｙｔ）との２次元からなる。図２１の（ｆ）に示す各計算式で使用されているパラメータは、図２２に示す通りである。すなわち、（ｘｓ，ｙｓ）は写真１２の配置位置座標、（ＰＸ，ＰＹ）は写真１２の配置領域寸法、（ｘｔ，ｙｔ）は写真説明文１４の配置位置座標、（ＡＸ，ＡＹ）は写真説明文１４の配置領域寸法である。この場合、原点は、新聞紙面１０の右上としている。その後、区切罫判定部５２によって、写真説明文１４の素材データの配置情報７１ＦＬが配置済とされる（Ｓ１０）。
【００６２】
そして、ステップＳ８で計算された配置領域寸法７１ＳＺ、ステップＳ９で計算された配置位置座標７１ＬＭが、写真説明文１４の素材データに書き込まれる。また、写真説明文１４の付属情報７１ＦＺをオペレータ入力部５０から入力する。これらも写真説明文１４の素材データに書き込まれる（Ｓ１１）。
【００６３】
更に、ステップＳ７で作成されたレイアウト済テキスト７１ＬＸが、実データテーブルに登録されるとともに、写真説明文１４のレイアウト済テキストの格納アドレス情報７１ＢＤが、素材データに書き込まれる（Ｓ１２）。以上により、写真説明文１４の素材データが確定され、写真説明文１４の新聞紙面１０上への配置がなされるようになる。
【００６４】
次に、紙面データ７１が区切罫判定部５２から区切罫配置部５３に送られ、区切罫配置部５３によって、以下に示すようにして区切罫１８の配置処理が行われる。すなわち、区切罫判定部５２からの紙面データ７１が区切罫配置部５３へと送られると、書式情報保持部５４に保持されている書式情報テーブル５４０が、区切罫配置部５３によって読み取られる。これによって、区切罫配置部５３によって、区切罫１８の罫種５４ＫＳ、罫幅５４ＫＨ、天／左方向空き値５４ＴＡ、および地／右方向空き値５４ＢＡが把握される（Ｓ１３）。
【００６５】
すると、区切罫配置部５３によって、ステップＳ６で指定されたタイプに対応する、図２３に示す区切罫１８の配置位置座標と配置領域寸法の計算式（ｇ）から、区切罫１８の配置位置座標７１ＬＸと配置領域寸法７１ＳＺとが計算される（Ｓ１４）。なお、計算式（ｇ）で使用されている（ｘｔ，ｙｔ）は写真説明文１４の配置位置座標、（ＡＸ，ＡＹ）は写真説明文１４の配置領域寸法、（ｘｕ，ｙｕ）は区切罫１８の配置位置座標、（ＣＸ，ＣＹ）は区切罫１８の配置位置寸法、Ｋは区切罫１８の罫幅、ｍは区切罫１８の天／左方向の空き値、ｎは地／右方向の空き値である。
【００６６】
次に、区切罫配置部５３によって、紙面データ７１の素材データの空きレコードが探索され、そこに素材種別７１ＳＢ、素材属性７１ＰＲ、素材ＩＤ番号７１ＩＤ、配置情報７１ＦＬ（＝「配置済」）、配置位置座標７１ＬＭ、配置領域寸法７１ＳＺ、および付属情報７１ＦＺが書き込まれる（Ｓ１５）。以上により、区切罫１８の素材データが確定され、区切罫１８の新聞紙面１０上への配置がなされるようになる。
【００６７】
そして、ステップＳ５において作成された写真１２の素材データ、ステップＳ１１およびステップＳ１２において作成された写真説明文１４の素材データ、およびステップＳ１５において作成された区切罫１８の素材データに基づいて、新聞紙面１０上に写真１２、写真説明文１４、および区切罫１８が配置され、そのイメージが表示されるようになる（Ｓ１６）。
【００６８】
一方、ステップＳ２において、位置パターンが張出型ではない場合、すなわち一体型である場合（Ｓ２：Ｎｏ）には、紙面データ保持部５１に保持されている紙面データ７１が区切罫判定部５２に読み出され、区切罫判定部５２によって、ステップＳ１で指定された写真１２の素材データの配置情報７１ＦＬが「配置済」とされる（Ｓ１７）。
【００６９】
次に、オペレータは、オペレータ入力部５０から、この写真１２の配置位置および配置領域を入力する（Ｓ１８）。すると、区切罫判定部５２において、配置位置から配置位置座標７１ＬＭが、配置領域から配置領域寸法７１ＳＺがそれぞれ計算され、それぞれ紙面データ７１における素材データに書き込まれる（Ｓ１９）。以上により、写真１２の素材データが確定され、写真１２の新聞紙面１０上への配置がなされるようになる。
【００７０】
次に、オペレータにより、オペレータ入力部５０から配置タイプの指定入力がなされ（Ｓ２０）、これに基づいて、写真説明文１４の新聞紙面１０上への配置処理がなされる。一体型の配置タイプは図２４に示すように、Ｉ１からＩ４までの４タイプに分類される。図２５は、これら一体型の各配置タイプにおける写真１２と写真説明文１４との位置関係を示す模式図である。
【００７１】
例えば、タイプＩ１は、（ａ）写真説明文１４（＃Ｉ１）が接する写真１２の辺は上辺、（ｂ）写真説明文１４（＃Ｈ１）の写真１２の辺に対する揃えは一体揃え、（ｃ）写真説明文１４（＃Ｉ１）の段方向寸法は成り行き、（ｄ）写真説明文１４（＃Ｉ１）の組方向は横組、（ｅ）写真説明文１４（＃Ｉ１）と本文との区切罫１８の位置は「なし」となる。なお、（ｄ）写真説明文の組方向は、横組に限るものではなく、縦組にすることも可能である。
【００７２】
このように配置タイプが指定されると、区切罫判定部５２によって、この写真説明文１４の段方向寸法（ｃ）に基づいて、写真説明文１４のテキスト７１ＴＸがレイアウトされ、レイアウト済テキスト７１ＬＸが作成される（Ｓ２１）。更に、段方向寸法（ｃ）と、レイアウト済テキスト７１ＬＸとから、配置領域寸法７１ＳＺが計算される（Ｓ２２）。
【００７３】
次に、区切罫判定部５２によって、ステップＳ２０で指定された配置タイプに対応する、図２６に示す写真説明文１４の配置位置座標の計算式（ｈ）から、この写真説明文１４の配置位置座標７１ＬＭが計算される（Ｓ２３）。配置位置座標７１ＬＭは、図２６の（ｈ）に示すように、Ｘ座標（ｘｔ）とＹ座標（ｙｔ）との２次元からなる。図２６の（ｈ）に示す各計算式で使用されているパラメータは、図２７に示す通りである。すなわち、（ｘｓ，ｙｓ）は写真１２の配置位置座標、（ＰＸ，ＰＹ）は写真１２の配置領域寸法、（ｘｔ，ｙｔ）は写真説明文１４の配置位置座標、（ＡＸ，ＡＹ）は写真説明文１４の配置領域寸法である。この場合、原点は、新聞紙面１０の右上としている。その後、区切罫判定部５２によって、写真説明文１４の素材データの配置情報７１ＦＬが配置済とされる（Ｓ２４）。
【００７４】
そして、ステップＳ２２で計算された配置領域寸法７１ＳＺ、ステップＳ２３で計算された配置位置座標７１ＬＭが、写真説明文１４の素材データに書き込まれる。また、写真説明文１４の付属情報７１ＦＺをオペレータ入力部５０から入力する。これらも写真説明文１４の素材データに書き込まれる（Ｓ２５）。
【００７５】
更に、ステップＳ２１で作成されたレイアウト済テキスト７１ＬＸが、実データテーブルに登録されるとともに、写真説明文１４のレイアウト済テキストの格納アドレス情報７１ＢＤが、素材データに書き込まれる（Ｓ２６）。以上により、写真説明文１４の素材データが確定され、写真説明文１４の新聞紙面１０上への配置がなされるようになる。
【００７６】
そして、ステップＳ１９において作成された写真１２の素材データ、およびステップＳ２５およびステップＳ２６において作成された写真説明文１４の素材データに基づいて、新聞紙面１０上に写真１２と写真説明文１４とが配置され、そのイメージが表示されるようになる（Ｓ２７）。
【００７７】
以上のようにして、新規の区切罫１８が配置される。
【００７８】
次に、区切罫１８が一旦配置された状態から、写真１２と写真説明文１４との位置パターンを変更する場合の動作について図２８乃至図３０に示すフローチャートを用いて説明する。
【００７９】
まず、紙面データ格納部７から、対象の紙面データ７１が、組版編集サーバ６を介して組版端末５の紙面データ保持部５１に取得される。そして、オペレータが、オペレータ入力部５０から、位置パターンが変更された写真１２の素材ＩＤ番号７１ＩＤを入力する（Ｓ３１）。すると、区切罫判定部５２によって、この素材ＩＤ番号７１ＩＤに従って、紙面データ７１から、対応する写真説明文１４の素材データが探索される（Ｓ３２）。これによって、変更前の位置パターンが張出型であったか一体型であったかが、区切罫判定部５２によって判定される。
【００８０】
次に、オペレータが、オペレータ入力部５０を操作することにより、変更対象とする写真１２と写真説明文１４との変更後の位置パターンの指定入力を行う（Ｓ３３）。
【００８１】
そして、変更前の位置パターンが張出型であり（Ｓ３４：Ｙｅｓ）、更に変更後の位置パターンが張出型である場合（Ｓ３５：Ｙｅｓ）には、区切罫判定部５２によって、変更対象とする写真説明文１４の素材データ内の付属情報７１ＦＺから、区切罫１８の素材ＩＤ番号７１ＦＺ５が取得され、この素材ＩＤ番号７１ＦＺ５に対応する区切罫１８の素材データが探索される（Ｓ３６）。更に、区切罫消去部５５によって紙面レイアウト上における位置パターン変更前の写真説明文１４とその区切罫１８の表示が消去される（Ｓ３７）。
【００８２】
次に、ステップＳ３３で指定入力された変更後の位置パターンに基づいて、区切罫判定部５２によって、図２１に示す計算式（ｆ）に従って位置パターン変更後の写真説明文１４の配置位置座標７１ＬＭが計算され、更に、その素材データの配置位置座標７１ＬＭ、付属情報７１ＦＺの内容が書き換えられる（Ｓ３８）。
【００８３】
次に、ステップＳ３６において探索された区切罫１８について、位置パターン変更後の配置位置座標７１ＬＭが、図２３に示す計算式（ｇ）に従って計算され、更にその素材データの配置位置座標７１ＬＭの内容が書き換えられる（Ｓ３９）。
【００８４】
そして、ステップＳ３８において書き換えられた写真説明文１４の素材データ、およびステップＳ３９において作成された区切罫１８の素材データに基づいて、新聞紙面１０上に写真説明文１４と区切罫１８とが配置され、そのイメージが表示されるようになる（Ｓ４０）。
【００８５】
一方、変更後の位置パターンが張出型ではなく、一体型である場合（Ｓ３５：Ｎｏ）には、区切罫判定部５２によって、変更対象とする写真説明文１４の素材データ内の付属情報７１ＦＺから、区切罫１８の素材ＩＤ番号７１ＦＺ５が取得され、この素材ＩＤ番号７１ＦＺ５に対応する区切罫１８の素材データが探索される（Ｓ４１）。更に、区切罫消去部５５によって紙面レイアウト上における位置パターン変更前の写真説明文１４とその区切罫１８の表示が消去される（Ｓ４２）。
【００８６】
次に、区切罫判定部５２によって、この写真説明文１４の段方向寸法（ｃ）に基づいて、写真説明文１４のテキスト７１ＴＸがレイアウトされ、レイアウト済テキスト７１ＬＸが作成される（Ｓ４３）。更に、段方向寸法（ｃ）と、レイアウト済テキスト７１ＬＸとから、配置領域寸法７１ＳＺが計算される（Ｓ４４）。
【００８７】
次に、区切罫判定部５２によって、変更後の配置タイプに対応する、図２６に示す写真説明文１４の配置位置座標の計算式（ｈ）から、この写真説明文１４の配置位置座標７１ＬＭが計算される（Ｓ４５）。
【００８８】
そして、ステップＳ４４で計算された配置領域寸法７１ＳＺと、ステップＳ４５で計算された配置位置座標７１ＬＭが、写真説明文１４の素材データに書き込まれる。また、写真説明文１４の付属情報７１ＦＺも写真説明文１４の素材データに書き込まれる（Ｓ４６）。
【００８９】
更に、ステップＳ４３で作成されたレイアウト済テキスト７１ＬＸが、実データテーブルに登録されるとともに、写真説明文１４のレイアウト済テキストの格納アドレス情報７１ＢＤが、素材データに書き込まれる（Ｓ４７）。以上により、写真説明文１４の素材データが確定され、この写真説明文１４と、対応する写真１２の新聞紙面１０上への配置がなされるようになる（Ｓ４８）。
【００９０】
また、ステップＳ３４において、変更前の位置パターンが張出型ではなく（Ｓ３４：Ｎｏ）、変更後の位置パターンが張出型である場合（Ｓ４９：Ｙｅｓ）には、区切罫消去部５５によって、紙面レイアウト上における位置パターン変更前の写真説明文１４の表示が消去される（Ｓ５０）。
【００９１】
次に、区切罫判定部５２によって、この写真説明文１４の段方向寸法（ｃ）に基づいて、写真説明文１４のテキスト７１ＴＸがレイアウトされ、レイアウト済テキスト７１ＬＸが作成される（Ｓ５１）。更に、段方向寸法（ｃ）と、レイアウト済テキスト７１ＬＸとから、配置領域寸法７１ＳＺが計算される（Ｓ５２）。
【００９２】
次に、区切罫判定部５２によって、変更後の配置タイプに対応する、図２１に示す写真説明文１４の配置位置座標の計算式（ｆ）から、この写真説明文１４の配置位置座標７１ＬＭが計算される（Ｓ５３）。その後、区切罫判定部５２によって、写真説明文１４の素材データの配置情報７１ＦＬが配置済とされる（Ｓ５４）。
【００９３】
そして、ステップＳ５２で計算された配置領域寸法７１ＳＺ、ステップＳ５３で計算された配置位置座標７１ＬＭが、写真説明文１４の素材データに書き込まれる。また、写真説明文１４の付属情報７１ＦＺをオペレータ入力部５０から入力する。これらも写真説明文１４の素材データに書き込まれる（Ｓ５５）。
【００９４】
更に、ステップＳ５１で作成されたレイアウト済テキスト７１ＬＸが、実データテーブルに登録されるとともに、写真説明文１４のレイアウト済テキストの格納アドレス情報７１ＢＤが、素材データに書き込まれる（Ｓ５６）。以上により、写真説明文１４の素材データが確定され、写真説明文１４の新聞紙面１０上への配置がなされるようになる。
【００９５】
次に、紙面データ７１が区切罫判定部５２から区切罫配置部５３に送られ、区切罫配置部５３によって、以下に示すようにして区切罫１８の配置処理が行われる。すなわち、区切罫判定部５２からの紙面データ７１が区切罫配置部５３へと送られると、書式情報保持部５４に保持されている書式情報テーブル５４０が、区切罫配置部５３によって読み取られる。これによって、区切罫配置部５３によって、区切罫１８の罫種５４ＫＳ、罫幅５４ＫＨ、天／左方向空き値５４ＴＡ、および地／右方向空き値５４ＢＡが把握される（Ｓ５７）。
【００９６】
すると、区切罫配置部５３によって、変更後の配置タイプに対応する、図２３に示す区切罫１８の配置位置座標と配置領域寸法の計算式（ｇ）から、区切罫１８の配置位置座標７１ＬＸと配置領域寸法７１ＳＺとが計算される（Ｓ５８）。次に、区切罫配置部５３によって、紙面データ７１の素材データの空きレコードが探索され、そこに素材種別７１ＳＢ、素材属性７１ＰＲ、素材ＩＤ番号７１ＩＤ、配置情報７１ＦＬ（＝「配置済」）、配置位置座標７１ＬＭ、配置領域寸法７１ＳＺ、および付属情報７１ＦＺが書き込まれる（Ｓ５９）。以上により、区切罫１８の素材データが確定され、区切罫１８の新聞紙面１０上への配置がなされるようになる。
【００９７】
そして、このようにして更新された写真１２、写真説明文１４、および区切罫１８の素材データに基づいて、新聞紙面１０上に写真１２、写真説明文１４、および区切罫１８が配置され、そのイメージが表示されるようになる（Ｓ６０）。
【００９８】
一方、ステップＳ４９において、変更後の位置パターンが張出型ではなく、一体型である場合（Ｓ４９：Ｎｏ）には、区切罫消去部５５によって、紙面レイアウト上における位置パターン変更前の写真説明文１４の表示が消去される（Ｓ６１）。
【００９９】
次に、配置タイプに従って、区切罫判定部５２によって、図２４に示すこの写真説明文１４の段方向寸法（ｃ）に基づいて、写真説明文１４のテキスト７１ＴＸがレイアウトされ、レイアウト済テキスト７１ＬＸが作成される（Ｓ６２）。更に、段方向寸法（ｃ）と、レイアウト済テキスト７１ＬＸとから、配置領域寸法７１ＳＺが計算される（Ｓ６３）。
【０１００】
次に、区切罫判定部５２によって、配置タイプに対応する、図２６に示す写真説明文１４の配置位置座標の計算式（ｈ）から、この写真説明文１４の配置位置座標７１ＬＭが計算される（Ｓ６４）。その後、区切罫判定部５２によって、写真説明文１４の素材データの配置情報７１ＦＬが配置済とされる（Ｓ６５）。
【０１０１】
そして、ステップＳ６３で計算された配置領域寸法７１ＳＺ、ステップＳ６４で計算された配置位置座標７１ＬＭが、写真説明文１４の素材データに書き込まれる。また、写真説明文１４の付属情報７１ＦＺをオペレータ入力部５０から入力する。これらも写真説明文１４の素材データに書き込まれる（Ｓ６６）。
【０１０２】
更に、ステップＳ６２で作成されたレイアウト済テキスト７１ＬＸが、実データテーブルに登録されるとともに、写真説明文１４のレイアウト済テキストの格納アドレス情報７１ＢＤが、素材データに書き込まれる（Ｓ６７）。以上により、写真説明文１４の素材データが確定され、写真説明文１４の新聞紙面１０上への配置がなされるようになる。
【０１０３】
そして、更新された写真１２、および写真説明文１４の素材データに基づいて、新聞紙面１０上に写真１２と写真説明文１４とが配置され、そのイメージが表示されるようになる（Ｓ６８）。
【０１０４】
次に、区切罫１８が一旦配置された状態から、写真１２の配置が取り消された場合の動作について図３１に示すフローチャートを用いて説明する。
【０１０５】
まず、オペレータが、オペレータ入力部５０から、配置を取り消す写真１２の素材ＩＤ番号７１ＩＤを入力する（Ｓ７１）と、区切罫判定部５２によって、この素材ＩＤ番号７１ＩＤに従って、紙面データ７１から、対応する写真説明文１４の素材データが探索される（Ｓ７２）。これによって、位置パターンが張出型であったか一体型であったかが、区切罫判定部５２によって判定される（Ｓ７３）。
【０１０６】
そして、張出型であった場合（Ｓ７３：Ｙｅｓ）には、ステップＳ７１で入力された素材ＩＤ番号７１ＩＤに従って、対応する写真説明文１４の素材データが探索される（Ｓ７４）。更に、ステップＳ７４で探索された写真説明文１４の素材データの付属情報７１ＦＺから、区切罫１８の素材ＩＤ番号７１ＩＤが取得され、その素材データが探索される（Ｓ７５）。そして、配置を取り消す写真１２、これに対応する写真説明文１４および区切罫１８の表示が、区切罫消去部５５によって、紙面レイアウト上から消去される（Ｓ７６）。更に、区切罫判定部５２によって、ステップＳ７６で紙面レイアウト上から消去された区切罫１８の素材データが、紙面データ７１から削除される（Ｓ７７）。
【０１０７】
次に、区切罫判定部５２によって、ステップＳ７６で紙面レイアウト上から消去された写真説明文１４の素材データ内の配置情報７１ＦＬが「未配置」とされる。また、配置位置座標７１ＬＭおよび配置領域寸法７１ＳＺがクリアされる。更に、この写真説明文１４のレイアウト済テキスト７１ＬＸとレイアウト済テキスト格納アドレス情報７１ＢＤとが削除される（Ｓ７８）。
【０１０８】
次に、区切罫判定部５２によって、ステップＳ７６で紙面レイアウト上から消去された写真１２の素材データ内の配置情報７１ＦＬが「未配置」とされる。また、配置位置座標７１ＬＭおよび配置領域寸法７１ＳＺがクリアされる（Ｓ７９）。
【０１０９】
一方、ステップＳ７３において張出型ではなく一体型である場合（Ｓ７３：Ｎｏ）には、ステップＳ７１で入力された素材ＩＤ番号７１ＩＤに従って、対応する写真説明文１４の素材データが探索される（Ｓ８０）。そして、配置を取り消す写真１２、およびこれに対応する写真説明文１４の表示が、区切罫消去部５５によって、紙面レイアウト上から消去される（Ｓ８１）。
【０１１０】
次に、区切罫判定部５２によって、ステップＳ８１で紙面レイアウト上から消去された写真説明文１４の素材データ内の配置情報７１ＦＬが「未配置」とされる。また、配置位置座標７１ＬＭおよび配置領域寸法７１ＳＺがクリアされる。更に、この写真説明文１４のレイアウト済テキスト７１ＬＸとレイアウト済テキスト格納アドレス情報７１ＢＤとが削除される（Ｓ８２）。
【０１１１】
次に、区切罫判定部５２によって、ステップＳ８１で紙面レイアウト上から消去された写真１２の素材データ内の配置情報７１ＦＬが「未配置」とされる。また、配置位置座標７１ＬＭおよび配置領域寸法７１ＳＺがクリアされる（Ｓ８３）。
【０１１２】
次に、区切罫１８が一旦配置された状態から、配置済の写真１２を移動した場合の動作について図３２乃至図３３に示すフローチャートを用いて説明する。
【０１１３】
まず、紙面データ格納部７から、対象の紙面データ７１が、組版編集サーバ６を介して組版端末５の紙面データ保持部５１に取得される。そして、オペレータが、オペレータ入力部５０から、配置場所を移動する写真１２の素材ＩＤ番号７１ＩＤを入力する（Ｓ９１）。すると、区切罫判定部５２によって、この素材ＩＤ番号７１ＩＤに従って、紙面データ７１から、対応する写真説明文１４の素材データが探索される（Ｓ９２）。これによって、移動前の位置パターンが張出型であるか一体型であるかが、区切罫判定部５２によって判定される（Ｓ９３）。
【０１１４】
そして、張出型であると判定された場合（Ｓ９３：Ｙｅｓ）には、移動対象の写真１２、この写真１２に対応する写真説明文１４、およびこの写真説明文１４に対応する区切罫１８の紙面レイアウト上における表示が消去される（Ｓ９４）。具体的には、ステップＳ９２で探索された写真説明文１４の素材データの付属情報７１ＦＺから、写真説明文１４と区切罫１８の素材ＩＤ番号７１ＦＺ１，７１ＦＺ５が把握され、この素材ＩＤ番号７１ＦＺ１，７１ＦＺ５に対応する素材データが探索され、この素材データにおける配置情報７１ＦＬが「未配置」に書き換えられることによってなされる。
【０１１５】
次に、オペレータはオペレータ入力部５０から、移動対象の写真１２の移動場所の指定入力を行う。入力された移動場所は、区切罫判定部５２に送られ、区切罫判定部５２では、これに基づいて、Ｘ方向移動値およびＹ方向移動値が計算される（Ｓ９５）。
【０１１６】
次に、ステップＳ９１で入力された素材ＩＤ番号７１ＩＤに対応する写真説明文１４の素材データが探索される（Ｓ９６）。そして、この素材データにおける配置位置座標７１ＬＭのＸ座標およびＹ座標に対して、ステップＳ９５で計算されたＸ方向移動値およびＹ方向移動値がそれぞれ加えられ、素材データが書き換えられる（Ｓ９７）。
【０１１７】
次に、ステップＳ９１で入力された素材ＩＤ番号７１ＩＤに対応する区切罫１８の素材データが探索される（Ｓ９８）。そして、この素材データにおける配置位置座標７１ＬＭのＸ座標およびＹ座標に対して、ステップＳ９５で計算されたＸ方向移動値およびＹ方向移動値がそれぞれ加えられ、素材データが書き換えられる（Ｓ９９）。
【０１１８】
そして、写真１２、この写真１２に対応する写真説明文１４、およびこの写真説明文１４に対応する区切罫１８が、それぞれ、自己の素材データに書き込まれた配置位置座標７１ＬＭに基づいて配置され、そのイメージが表示されるようになる（Ｓ１００）。
【０１１９】
一方、ステップＳ９３において、張出型ではない、すなわち一体型であると判定された場合（Ｓ９３：Ｎｏ）には、移動対象の写真１２、およびこの写真１２に対応する写真説明文１４の紙面レイアウト上における表示が消去される（Ｓ１０１）。具体的には、ステップＳ９２で探索された写真説明文１４の素材データの付属情報７１ＦＺから、写真説明文１４の素材ＩＤ番号７１ＦＺ１が把握され、この素材ＩＤ番号７１ＦＺ１に対応する素材データが探索され、この素材データにおける配置情報７１ＦＬが「未配置」に書き換えられることによってなされる。
【０１２０】
次に、オペレータはオペレータ入力部５０から、移動対象の写真１２の移動場所の指定入力を行う。入力された移動場所は、区切罫判定部５２に送られ、区切罫判定部５２では、これに基づいて、Ｘ方向移動値およびＹ方向移動値が計算される（Ｓ１０２）。
【０１２１】
次に、ステップＳ９１で入力された素材ＩＤ番号７１ＩＤに対応する写真説明文１４の素材データが探索される（Ｓ１０３）。そして、この素材データにおける配置位置座標７１ＬＭのＸ座標およびＹ座標に対して、ステップＳ１０２で計算されたＸ方向移動値およびＹ方向移動値がそれぞれ加えられ、素材データが書き換えられる（Ｓ１０４）。
【０１２２】
そして、写真１２、およびこの写真１２に対応する写真説明文１４が、それぞれ、自己の素材データに書き込まれた配置位置座標７１ＬＭに基づいて配置され、そのイメージが表示されるようになる（Ｓ１０５）。
【０１２３】
上述したように、本発明の実施の形態に係る新聞制作システムにおいては、上記のような作用により、写真１２と写真説明文１４とを配置する場合、写真１２と写真説明文１４との位置関係に基づいて、写真説明文１４と、それに隣接配置された本文１６等の素材との区切罫１８を自動的に配置することができる。
【０１２４】
また、素材の差替や、レイアウト変更等により、説明文と写真との位置関係が変更された場合であっても、変更後の位置関係に基づいて、区切罫１８を自動的に配置することができる。
【０１２５】
以上により、オペレータによる区切罫の配置操作を不要とし、オペレータの負担を低減することが可能となる。これにより、オペレータは、他の重要な部分に集中することが出来ると共に、単純な操作の忘れによる手直しによる後戻り作業を防止することが期待できる。
【０１２６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１２７】
【図１】本発明の実施の形態に係る新聞紙面制作システムの組版端末５の詳細構成例を示す機能ブロック図。
【図２】管理情報の一例を示すデータ構成図。
【図３】素材データの一例を示すデータ構成図（本文ａ）。
【図４】素材データの一例を示すデータ構成図（写真ｂ）。
【図５】素材データの一例を示すデータ構成図（写真説明文ｃ）。
【図６】素材データの一例を示すデータ構成図（本文ｄ）。
【図７】素材データの一例を示すデータ構成図（写真ｅ）。
【図８】素材データの一例を示すデータ構成図（写真説明文ｆ）。
【図９】素材データの一例を示すデータ構成図（区切罫ｇ）。
【図１０】素材データの一例を示すデータ構成図（区切罫ｈ）。
【図１１】素材データの一例を示すデータ構成図（区切罫ｉ）。
【図１２】実データテーブルの一例を示すデータ構成図。
【図１３】書式情報テーブルの一例を示すデータ構成図。
【図１４】リーダの一例を示す模式図。
【図１５】カスミの一例を示す模式図。
【図１６】双柱の一例を示す模式図。
【図１７】写真説明文に対して新たに区切罫を配置する場合の動作を示すフローチャート（前半）。
【図１８】写真説明文に対して新たに区切罫を配置する場合の動作を示すフローチャート（後半）。
【図１９】張出型の各配置タイプについてまとめた図。
【図２０】張出型の各配置タイプにおける写真と写真説明文との位置関係を示す模式図。
【図２１】張出型の各配置タイプ毎の写真説明文の配置位置座標の計算式をまとめた図。
【図２２】図２１に示す計算式に使用されているパラメータを示した図。
【図２３】区切罫の配置位置座標と配置領域寸法との計算式をまとめた図。
【図２４】一体型の各配置タイプについてまとめた図。
【図２５】一体型の各配置タイプにおける写真と写真説明文との位置関係を示す模式図。
【図２６】一体型の各配置タイプ毎の写真説明文の配置位置座標の計算式をまとめた図。
【図２７】図２６に示す計算式に使用されているパラメータを示した図。
【図２８】区切罫が一旦配置された状態から、写真と写真説明文との位置パターンを変更する場合の動作を示すフローチャート（その１）。
【図２９】区切罫が一旦配置された状態から、写真と写真説明文との位置パターンを変更する場合の動作を示すフローチャート（その２）。
【図３０】区切罫が一旦配置された状態から、写真と写真説明文との位置パターンを変更する場合の動作を示すフローチャート（その３）。
【図３１】区切罫が一旦配置された状態から、写真の配置が取り消された場合の動作を示すフローチャート。
【図３２】区切罫が一旦配置された状態から、配置済の写真を移動した場合の動作を示すフローチャート（前半）。
【図３３】区切罫が一旦配置された状態から、配置済の写真を移動した場合の動作を示すフローチャート（後半）。
【図３４】従来技術による新聞紙面制作システムの構成例示す機能ブロック図。
【図３５】新聞紙面に配置される写真とその説明文との位置関係の一例を示す模式図。
【符号の説明】
【０１２８】
１…記事入力／校正端末、２…記事サーバ、３…画像入力／加工端末、４…画像サーバ、５…組版端末、６…組版編集サーバ、７…紙面データ格納部、８…出力サーバ、９…プリンタ／プロッタ、１０…新聞紙面、１２…写真、１４…写真説明文、１６…本文、１８…区切罫、５０…オペレータ入力部、５１…紙面データ保持部、５２…区切罫判定部、５３…区切罫配置部、５４…書式情報保持部、５５…区切罫消去部、７１…紙面データ、５４０…書式情報テーブル
【図１】
2006031095.tif 000003
【図２】
2006031095.tif 000004
【図３】
2006031095.tif 000005
【図４】
2006031095.tif 000006
【図５】
2006031095.tif 000007
【図６】
2006031095.tif 000008
【図７】
2006031095.tif 000009
【図８】
2006031095.tif 000010
【図９】
2006031095.tif 000011
【図１０】
2006031095.tif 000012
【図１１】
2006031095.tif 000013
【図１２】
2006031095.tif 000014
【図１３】
2006031095.tif 000015
【図１４】
2006031095.tif 000016
【図１５】
2006031095.tif 000017
【図１６】
2006031095.tif 000018
【図１７】
2006031095.tif 000019
【図１８】
2006031095.tif 000020
【図１９】
2006031095.tif 000021
【図２０】
2006031095.tif 000022
【図２１】
2006031095.tif 000023
【図２２】
2006031095.tif 000024
【図２３】
2006031095.tif 000025
【図２４】
2006031095.tif 000026
【図２５】
2006031095.tif 000027
【図２６】
2006031095.tif 000028
【図２７】
2006031095.tif 000029
【図２８】
2006031095.tif 000030
【図２９】
2006031095.tif 000031
【図３０】
2006031095.tif 000032
【図３１】
2006031095.tif 000033
【図３２】
2006031095.tif 000034
【図３３】
2006031095.tif 000035
【図３４】
2006031095.tif 000036
【図３５】
2006031095.tif 000037